(57)【特許請求の範囲】
【請求項１】
照射方向反対側端が構造部材に取り付けられた取付用ボルトと、
前記取付用ボルトに螺合するナットと、
前記各取付用ボルトの照射方向側端に取り付けられて前記ナットにより固定され、器具本体を保持する取付金具と、
前記取付金具に保持されて天井材に設けられた取付孔に取り付けられる器具本体と、を有し、
前記取付金具が、前記取付用ボルトが貫通するボルト取付孔を有するとともに、前記器具本体を保持するために前記ボルト取付孔を挟んで対向する一対の保持壁を有し、
前記保持壁に前記ナット締結用の開口を設けた照明器具。
【請求項２】
請求項１に記載の照明器具において、
前記取付金具の前記保持壁の照射方向側端部に前記天井材の下面を係止する係止部を設けた照明器具。
【請求項３】
請求項１または請求項２に記載の照明器具において、
前記取付金具の保持壁に、前記開口の上側と下側とを連結する連結部を設けた照明器具。
【発明の詳細な説明】
【技術分野】
【０００１】
本発明は、天井材に設けられた取付孔に取り付けられる埋込型の照明器具に関するものである。
【背景技術】
【０００２】
従来より、天井材に設けられた取付孔に取り付けられる埋込型の照明器具が知られている（例えば、特許文献１参照）。
図７に示すように、特許文献１に記載の照明器具１００は、天井材１０１に設けられた取付孔１０２に取り付けられて使用される。照明器具１００は、下方に開口した矩形箱状の器具本体１０３を有し，内部に光源である蛍光ランプが装着される。器具本体１０３の天板１０４の上には器具本体取付金具１０５が設けられており、上端が天井材裏の構造部材に取り付けられた一対の取付ボルト１０６を器具本体取付金具１０５に設けられているねじ孔１０８に挿通し、ナット１０７を締結して器具本体１０３を吊り下げ支持する。
【先行技術文献】
【特許文献】
【０００３】
【特許文献１】特開平８−２９３２１０号公報（第２図）
【発明の概要】
【発明が解決しようとする課題】
【０００４】
ところで、前述したような全体が細長い照明器具１００においては、器具本体１０３を取り付けるために，天井材裏の構造部材に取り付けられた取付ボルト１０６を用いるのが一般的である。
しかしながら、幅が狭い取付孔１０２に取り付ける際には、十分に手が入らないためナット１０７を締め付けるのが困難であり、照明器具の取付が困難になるという問題があった。
【０００５】
本発明は、従来の問題を解決するためになされたもので、幅の狭い取付孔にも容易に取り付けることができる照明器具を提供することを目的とする。
【課題を解決するための手段】
【０００６】
本発明の照明器具は、照射方向反対側端が構造部材に取り付けられた取付用ボルトと、取付用ボルトに螺合するナットと、各取付用ボルトの照射方向側端に取り付けられてナットにより固定され、器具本体を保持する取付金具と、取付金具に保持されて天井材に設けられた取付孔に取り付けられる器具本体と、を有し、取付金具が、取付用ボルトが貫通するボルト取付孔を有するとともに、器具本体を保持するためにボルト取付孔を挟んで対向する一対の保持壁を有し、保持壁にナット締結用の開口を設けたものである。
【０００７】
また、本発明の照明器具は、取付金具の保持壁の照射方向側端部に天井材の下面を係止する係止部を設けたものである。
【０００８】
さらに、本発明の照明器具は、取付金具の保持壁に、開口の上側と下側とを連結する連結部を設けたものである。
【発明の効果】
【０００９】
本発明は、器具本体を保持する取付金具の保持壁にナット締結用の開口を設けたので、狭い取付孔から手を入れて、取付金具の保持壁間に挿通されている取付用ボルトにナットを締結することができる。これにより、容易に照明器具を取り付けられるという効果を有する照明器具を提供できる。
【図面の簡単な説明】
【００１０】
【図１】本発明に係る第１実施形態の照明器具の分解斜視図
【図２】本発明に係る第１実施形態の照明器具に用いられる取付金具および器具本体の斜視図
【図３】本発明に係る第１実施形態の照明器具を上方から見た斜視図
【図４】（Ａ）は本発明に係る第１実施形態の照明器具に用いられる取付金具の斜視図であり、（Ｂ）は取付金具に指を入れた状態を示す断面図
【図５】（Ａ）は本発明に係る第１実施形態の照明器具に用いられる取付金具の変形例の斜視図であり、（Ｂ）は取付金具に指を入れてナットを締結する状態を示す側面図
【図６】（Ａ）は本発明に係る第２実施形態の照明器具に用いられる取付金具の斜視図であり、（Ｂ）は取付金具に指を入れてナットを締結する状態を示す側面図
【図７】従来の照明器具の断面図
【発明を実施するための形態】
【００１１】
（第１実施形態）
以下、本発明に係る第１実施形態の照明器具について、図面を用いて説明する。
図１に示すように、本発明に係る実施形態の照明器具１０は、天井材１１に設けられた取付孔１２に埋め込まれて使用される埋込式のものである。
照明器具１０は、天井材１１の照射方向反対側である裏側（図１において上側）の構造部材（図示省略）に上端が固定される取付部材としての一対の取付用ボルト３１，３１を有しており、取付用ボルト３１の下端には後述する器具本体２０を係止する取付金具３０が取り付けられる。
なお、以下において、「照射方向」とは、照明器具１０によって照明する方向であり、ここでは下方を意味し、「照射方向反対側」とは、ここでは上方を意味する。また、「長手方向中央（側）」とは、照明器具１０の長手方向中央（側）を意味し、「長手方向端部（側）」とは、照明器具１０における両端（側）を意味する。
【００１２】
図２および図３に示すように、器具本体２０は、反射板２１と、反射板２１の内部に装着される灯具２２を有する。反射板２１は、取付金具３０の内部に保持されるものであり、下方へ開口した断面コ字状の細長い部材である。反射板２１の幅は、取付金具３０の上板３３の幅よりも若干小さめとなっている。
従って、反射板２１を取付金具３０に押し込んで保持することにより、器具本体２０を取付金具３０を介して取付用ボルト３１に取り付ける。
【００１３】
反射板２１の天板２１１の上の長手方向中央部には、光源に点灯用の電力を供給する電源ブロックを収容した矩形箱状の突部２５が設けられている。また、反射板２１の天板２１１の長手方向両端部には、灯具２２から上方へ突出して設けられている取付ばね２３を上方へ突出させるための係止孔（図示省略）が設けられている。
【００１４】
灯具２２は、樹脂製の矩形断面を有する細長い箱状部材であり、内部には光源として、例えば長手方向に所定間隔で複数のＬＥＤパッケージ（図示省略）が下向きに設けられている。灯具２２の上面には、灯具２２を反射板２１に取り付けるための取付ばね２３が設けられている。取付ばね２３は一対のアーム２３１，２３１を有しており、両アーム２３１，２３１は、互いに離反する方向へ付勢されている。各アーム２３１，２３１の先端には、係止部２３２が設けられている。
なお、灯具２２の照射方向前方（すなわち、下方）である灯具２２の下面には、上下方向のルーバー２４が所定間隔で平行に設けられている。
【００１５】
図２および図３に示すように、一対の取付金具３０，３０は、連結部材３２によって長手方向に所定間隔で連結されている。
図４に示すように、取付金具３０は、上板３３と、上板３３の幅方向両端から下方へ設けられて対向する一対の保持壁である側板３４，３４とからなる下方が開口した全体コ字状を呈している。上板３３は、側板３４，３４よりも照明器具１０の長手方向中央側に長く延びて延長部３３１を形成しており、延長部３３１の下側には、取付用ボルト３１にナット３１１を締結する際の作業空間となる開口３６１が設けられている。また、上板３３の延長部３３１には、取付用ボルト３１により係止されるボルト取付孔３３２が設けられており、上板３３の長手方向外側端部には、灯具２２に設けられている取付ばね２３用の切欠３３３が長手方向に設けられている。
【００１６】
各側板３４，３４の下端部は外向きに折り曲げられて係止部３５が形成されており、両側板３４，３４は、鉛直下方よりも互いに接近する方向すなわち各係止部３５が接近する方向に付勢されている。両係止部３５は、取付金具３０を天井材１１の取付孔１２に下方から挿入して、取付用ボルト３１に取り付けることにより、天井材１１の下面に当接して支持することになる。
【００１７】
図５（Ａ）には、図４（Ａ）に示した取付金具３０の変形例である取付金具３０Ｂが示されている。取付金具３０Ｂにおいては、側板３４の下端部および係止部３５を長手方向中央側へ延長して側板延長部３４１および係止部延長部３５１を設けて、側板延長部３４１と係止部延長部３５１との間にナット３１１締結用の開口３６２を設けた。その他の構成は、図４（Ａ）に示した取付金具３０と同様である。
【００１８】
照明器具１０を天井材１１の取付孔１２に取り付ける際には、まず、取付金具３０，３０Ｂを取付用ボルト３１の下端に取り付けてナット３１１を締結する。このとき、取付金具３０，３０Ｂの幅が狭いが、図４（Ｂ）および図５（Ｂ）に示すように、指Ｆが開口３６１，３６２から取付金具３０，３０Ｂの外側に出ることができるので、ナット３１１の締結が容易になる。
【００１９】
一方、灯具２２を反射板２１に取り付けておく。すなわち、取付ばね２３のアーム２３１，２３１の係止部２３２を近付ける方向へ指でつまんで弾性変形させ、係止部２３２から反射板２１の係止孔（図示省略）に通す。その後、指を放すと、アーム２３１の弾性力により灯具２２は反射板２１に取り付けられる。
【００２０】
次に、器具本体２０を取付金具３０，３０Ｂの側板３４，３４間に押し込んで、器具本体２０を取付金具３０，３０Ｂに取り付ける（図１中矢印Ａ）。これにより、取付金具３０，３０Ｂは器具本体２０を挟んで保持する。
【００２１】
なお、灯具２２を反射板２１から取り外す際には、器具本体２０を取付金具３０，３０Ｂから取り外した後、取付ばね２３の係止部２３２が反射板２１の係止孔に係止されるまで灯具２２を下方へ引き下げ、一旦係止する。その後、取付ばね２３のアーム２３１を指でつまんで両係止部２３２を接近させ、反射板２１の係止孔から引き抜く。
【００２２】
以上、説明した本発明に係る第１実施形態の照明器具によれば、天井材１１の取付孔１２から手を入れて、照射方向反対側端が構造部材に取り付けられた取付用ボルト３１の照射方向側端に取付金具３０，３０Ｂを取り付けて、ナット３１１を締結して取付金具３０，３０Ｂを固定する。
この際、器具本体２０を保持する取付金具３０，３０Ｂの側板３４にナット締結用の開口３６１，３６２を設けたので、狭い取付孔１２から手を入れて、取付金具３０，３０Ｂの側板３４間に挿通されている取付用ボルト３１にナット３１１を，容易に締結することができる。
そして、器具本体２０を取付孔１２に挿嵌して取付金具３０，３０Ｂに取り付ける。これにより、容易に照明器具２０を取り付けられる。
【００２３】
また、取付金具３０を取付孔１２に挿嵌することにより、取付金具３０，３０Ｂの側板３４の照射方向側端部に設けられた係止部３５，３５１が、取付孔１２において天井材１１の下面を係止する。
このため、取付用ボルト３１にナット３１１を締結して取付金具３０を締め上げると、係止部３５，３５１が天井材１１の下面を下方から支持することになり、取付金具３０，３０Ｂをしっかりと固定することができる。
【００２４】
（第２実施形態）
次に、本発明に係る第２実施形態の照明器具について説明する。
なお、前述した第１実施形態にかかる照明器具と共通する部位には同じ符号を付して、重複する説明を省略することとする。
【００２５】
図６に示すように、第２実施形態の照明器具では、取付金具３０Ｃの側板３４に例えば長円形状の開口３６３を設けるとともに、開口３６３の上側と下側とを連結する連結部３７を設けた。これにより、開口３６３は閉じた形状となる。
なお、開口３６３は、取付用ボルト３１が貫通するボルト取付孔３３２の下方位置であり、好ましくは、ボルト取付孔３３２が開口３６３の長手方向中央に位置するようにする。
また、開口３６３の形状は、長円形状に限定するものではないが、指Ｆが入るため、角のない形状が望ましい。
【００２６】
以上、説明した本発明に係る第２実施形態の照明器具によれば、前述した第１実施形態にかかる照明器具と同様の作用・効果を得ることができる。
さらに、取付金具３０Ｃの側板３４の開口３６３に、上側と下側とを連結する連結部３７を設けたので、側板３４の剛性が向上し、取付金具３０Ｃの剛性が向上する。
【００２７】
なお、本発明の照明器具は、前述した各実施形態に限定されるものでなく、適宜な変形、改良等が可能である。
例えば、前述した各実施形態においては、２個の取付用ボルト３１および取付金具３０，３０Ｂ，３０Ｃで器具本体２０を支持する場合を例示したが、本発明は、３個以上の取付用ボルト３１および取付金具３０，３０Ｂ，３０Ｃを有する場合にも適用可能である。
【符号の説明】
【００２８】
１０  照明器具
１１  天井材
１２  取付孔
２０  器具本体
３０，３０Ｂ，３０Ｃ  取付金具
３１  取付用ボルト
３１１  ナット
３３２  ボルト取付孔
３４  側板（保持壁）
３５  係止部
３６１，３６２，３６３  開口
３７  連結部
【図１】
0005519438.tif 000002
【図２】
0005519438.tif 000003
【図３】
0005519438.tif 000004
【図４】
0005519438.tif 000005
【図５】
0005519438.tif 000006
【図６】
0005519438.tif 000007
【図７】
0005519438.tif 000008